(57)【要約】【課題】口開き防止の為の工程を省略することができるパッケージを提供する。【解決手段】前面構成部３１の左側縁８１より左方へ延出した左延出片８２を、前面構成部３１の裏面に重合された後面構成部３２側に折り曲げ、左延出片８２の左係合凸部８３を、折り曲げられた左延出片８２が対向する部位の左係合凹部２４２に内嵌して係合する。前面構成部３２の右側縁１１１より右方へ延出した右延出片１１２を、前面構成部３１の裏面に重合された前記後面構成部３２側に折り曲げ、右延出片１１２の右係合凸部１１３を、折り曲げられた右延出片１１２が対向する部位の右係合凹部２６２に内嵌して係合する。これにより、前面構成部３１と後面構成部３２の両側縁部が、その側方から各延出片８２，１１２によって結合され、製品Ｓを両構成部３１，３２間に挟持された状態で保持できる。【選択図】図２
2014105033.tif 000002
【特許請求の範囲】
【請求項１】
前面側を構成する前面構成部と後面側を構成する後面構成部とを下縁で連結してパッケージ本体を構成し、前記両構成部を重ね合わせて使用するパッケージであって、
前記前面構成部又は前記後面構成部の一方の側縁より側方へ延出する延出片を設け、該延出片を前記前面構成部又は前記後面構成部の他方側に折り曲げ可能に構成するとともに、前記延出片と、折り曲げられた延出片が対向する部位とに互いに係合する係合部を設けたことを特徴とするパッケージ。
【請求項２】
前記延出片を前記前面構成部に設け、前記後面構成部側に折り曲げ可能に構成したことを特徴とする請求項１記載のパッケージ。
【請求項３】
前記パッケージ本体の下縁から上縁までの高さ方向において、前記下縁から１／３以上の高さ位置に前記延出片を設けたことを特徴とする請求項１又は２記載のパッケージ。
【発明の詳細な説明】
【技術分野】
【０００１】
本発明は、製品を収容するパッケージに関する。
【背景技術】
【０００２】
従来、製品を陳列する際には、透明のプラスチックで形成されたパッケージが用いられていた。
【０００３】
このパッケージとしては、前面構成部と後面構成部とで構成された二つ折り構造のものが知られており、両構成部材間に製品を保持できるように構成されている。
【０００４】
このようなパッケージにおいては、落下時に製品の荷重が前面構成部及び後面構成部に加わるため、口開きをし易いという問題がある。
【０００５】
このため、このような二つ折り構造では、前記前面構成部の側縁と前記後面構成部の側縁とをテープで止めたり熱圧着する等、製造時において口開き防止の為の別工程が必要であった。
【０００６】
このような問題を解消する為に、三つ折りのパッケージが知られている（例えば、特許文献１参照。）。
【０００７】
このパッケージは、パッケージ本体を三つ折りにして使用するように構成されており、折り畳んだ状態で前面側を構成する前面構成部と、底面を構成する底面構成部と、後面側を構成する後面構成部とで構成されている。
【０００８】
前記前面構成部には、前面凹部が形成されており、前記後面構成部には、後面凹部が形成されている。これにより、前記後面構成部を前記前面構成部に対面させた状態で、前記両凹部間に製品を収容できるように構成されている。
【０００９】
前記底面構成部は、山形に形成されており、当該底面構成部には、前記両凹部間に収容された製品を保持するとともに支持する為の底面凹部が形成されている。
【００１０】
これにより、前記底面凹部と前記前面凹部と前記後面凹部とで形成された空間に前記製品を保持できるように構成されている。
【００１１】
前記前面構成部の上縁には、舌片が設けられており、該舌片は、裏面側に折り返せるように構成されている。この舌片と、折り返された舌片が対向する部位とには、互いに係合する係合部が設けられており、当該係合部を係合することで、別途接着剤やテープによる封止をすることなく、前記前面構成部と前記後面構成部との口開きを確実に防止し、前記各凹部内に収容された製品の保持状態を維持できるように構成されている。
【先行技術文献】
【特許文献】
【００１２】
【特許文献１】特開２０１０−２８０３９８号公報
【発明の概要】
【発明が解決しようとする課題】
【００１３】
しかしながら、このような従来のパッケージにあっては、三つ折りにて製品を収容するため、プラスチックの使用量が増えてしまい、部材コストが増加するとともに、その作業に手間がかかり、製造コストがかかるという問題があった。
【００１４】
本発明は、このような従来の課題に鑑みてなされたものであり、部材コストおよび製造コストを抑えつつ、口開き防止の為の工程を省略することができるパッケージを提供することを目的とするものである。
【課題を解決するための手段】
【００１５】
前記課題を解決するために本発明の請求項１のパッケージにあっては、前面側を構成する前面構成部と後面側を構成する後面構成部とを下縁で連結してパッケージ本体を構成し、前記両構成部を重ね合わせて使用するパッケージであって、前記前面構成部又は前記後面構成部の一方の側縁より側方へ延出する延出片を設け、該延出片を前記前面構成部又は前記後面構成部の他方側に折り曲げ可能に構成するとともに、前記延出片と、折り曲げられた延出片が対向する部位とに互いに係合する係合部を設けた。
【００１６】
すなわち、パッケージ本体に製品を収容する際には、前面構成部と後面構成部間に製品を配置した状態で、両構成部間に製品を保持する。
【００１７】
そして、前記前面構成部又は前記後面構成部の一方の側縁より側方へ延出した延出片を、前記前面構成部又は前記後面構成部の他方側に折り曲げるとともに、当該延出片と、折り曲げられた延出片が対向する部位を互いに係合する。
【００１８】
すると、前記前面構成部と前記後面構成部とは、その側縁部が側方から前記延出片によって結合される。
【００１９】
また、請求項２のパッケージにおいては、前記延出片を前記前面構成部に設け、前記後面構成部側に折り曲げ可能に構成した。
【００２０】
すなわち、前記延出片は、前記前面構成部に設けられており、当該延出片は前記後面構成部側に折り曲げられ、当該後面構成部と係合される。
【００２１】
このため、係合部が前記前面構成部側に形成される場合と比較して、前面構成部の全面が表示部として利用される。
【００２２】
さらに、請求項３のパッケージでは、前記パッケージ本体の下縁から上縁までの高さ方向において、前記下縁から１／３以上の高さ位置に前記延出片を設けた。
【００２３】
すなわち、前記パッケージ本体の下縁から上縁までの高さ方向において、前記下縁から１／３以上の高さ位置が前記延出片によって連結される。
【発明の効果】
【００２４】
以上説明したように本発明の請求項１のパッケージにあっては、下縁が連結された前面構成部と後面構成部との二つ折り構造にて製品を保持できるので、三つ折り構造の場合と比較して、相対的にプラスチックの使用量を減らすことができるとともに、製品収容作業が容易となり、低コスト化を図ることができる。
【００２５】
そして、このような二つ折り構造では、パッケージ落下時において、製品の荷重が前記前面構成部及び前記後面構成部に加わるため口開きし易い。このため、前記前面構成部と前記前記後面構成部とを上縁部で固定した際には、口開き防止の為に、前記前面構成部の側縁と前記後面構成部の側縁とをテープで止めたり熱圧着する等、口開き防止の為の別作業が必要となる。
【００２６】
しかしながら、本願発明では、製品を保持した状態で前記前面構成部と前記後面構成部との側縁部が側方から延出片によって結合される。このため、前記前面構成部の側縁と前記後面構成部の側縁とを、別途テープで止めたり熱圧着する等すること無く、不用意な口開きを防止することができる。
【００２７】
したがって、製造時において口開き防止の為の別工程が不要となり、低コスト化を図ることができる。
【００２８】
また、請求項２のパッケージにおいては、前記延出片が前記前面構成部に設けられており、当該延出片を、前記後面構成部側に折り曲げて当該後面構成部に係合することができる。
【００２９】
このため、係合部が前記前面構成部側に形成される場合と比較して、前面構成部の全面を表示部として利用することができる。これにより、デザインの自由度を高めることができる。
【００３０】
さらに、請求項３のパッケージでは、パッケージ本体の下縁から上縁までの高さ方向において、前記下縁から１／３以上の高さ位置を前記延出片で連結することができる。
【００３１】
このため、前記下縁からの高さが低い位置において、前記前面構成部と前記後面構成部とを前記延出片で連結する場合と比較して、口開きの防止効果を高めることができる。
【図面の簡単な説明】
【００３２】
【図１】本発明の第一の実施の形態を示す説明図である。
【図２】同実施の形態のパッケージを展開した状態を示す平面図である。
【図３】同実施の形態のパッケージを展開した状態を示す側面図である。
【図４】本発明の第二の実施の形態を示す説明図である。
【図５】本発明の第三の実施の形態を示す説明図である。
【発明を実施するための形態】
【００３３】
（第一の実施の形態）
【００３４】
以下、本発明の第一の実施の形態を図に従って説明する。
【００３５】
図１は、本実施の形態にかかるパッケージ１を示す図であり、該パッケージ１は、製品を収容するものである。
【００３６】
図２は、パッケージ１のパッケージ本体１１を展開した状態が示されており、パッケージ本体１１の内側面１２が示されている。
【００３７】
このパッケージ本体１１は、所定の剛性を有した無色透明のプラスチックシートで構成されており、長方形状のプラスチックシートがプレスされることによって形成されている。当該パッケージ本体１１は、図２中上下方向中央部に折曲部２１が横断するように形成されており、該折曲部２１は、図３に示すように、外側２２へ向けて突出した凸条により構成されている。
【００３８】
前記パッケージ本体１１には、図２に示したように、前記折曲部２１より図中上側に長方形状の前面構成部３１が設けられており、図中下側に長方形状の後面構成部３２が設けられている。このパッケージ本体１１は、前記折曲部２１を中心に内側３３に折曲できるように構成されており、折曲した状態で、図１に示したように、前記前面構成部３１側と前記後面構成部３２とが重なり合うように構成されている。
【００３９】
これにより、この重合状態において、前記パッケージ１の前面側４１を構成する前記前面構成部３１と、後面側４２を構成する前記後面構成部３２とは、前記折曲部２１を介して下縁４３，４４で連結されるように構成されている。
【００４０】
前記前面構成部３１の上縁部には、図２にも示したように、鉤状の前面側切欠部５１が形成されており、該前面側切欠部５１の先端は、図２中左方（パッケージ１正面から見て右方：以下同じ）へ向けて折曲している。
【００４１】
この前面切欠部５１の図２中右方（パッケージ１正面から見て左方：以下同じ）には、前記折曲部２１側へ向けて開口したコ字状の第一前面凸ビード６１が設けられており、該第一前面凸ビード６１は、外側面６２側へ向けて膨出形成されている（図３参照）。また、前記前面切欠部５１の図２中左方には、当該前面構成部３１の上縁に沿って延在する第二前面凸ビード６３が設けられており、該第二前面凸ビード６３も、外側面６２側へ向けて膨出形成されている。これにより、前記前面切欠部５１は、その縁部が前記各凸ビード６１，６３によって補強されている。
【００４２】
前記前面構成部３１には、図２及び図３に示すように、前記前面切欠部５１の下側に外側２２へ向けて突出した前面収容部７１が膨出形成されており、該前面収容部７１には、大円部７２や小円部７３が外側２２へ向けて膨出形成されている。
【００４３】
この前面構成部３１の図２中右方に位置する左側縁８１には、左方へ向けて延出した左延出片８２が一体形成されており、該左延出片８２は、略正方形状に形成されている。該左延出片８２の中央部には、円形の左係合凸部８３が内側３３へ向けて膨出形成されており、該左係合凸部８３の天面には、十字状の左十字溝８４が凹設されている。
【００４４】
また、前記左延出片８２には、前記左係合凸部８３を包囲するようにコ字状の左延出片凸ビード９１が形成されており、該左延出片凸ビード９１は、外側２２へ向けて膨出形成されている。そして、この左延出片８２と前記前面構成部３１の左側縁８１との間には、左延出片折曲部９２が外側２２へ向けて膨出形成されており、当該左延出片８２を内側３３へ曲げ重合された前記後面構成部３２側へ折曲できるように構成されている。
【００４５】
そして、前記左延出片８２は、図１に示したように、前記パッケージ本体１１の下縁４３から上縁１０１までの高さ方向において、前記下縁４３から１／３の高さ位置１０２より上方に設定されている。
【００４６】
この前面構成部３１の図２中左方に位置する右側縁１１１には、右方へ向けて延出した右延出片１１２が一体形成されており、該右延出片１１２は、横長の長方形状に形成されている。該右延出片１１２の先端部には、図２及び図３に示すように、円形の右係合凸部１１３が内側３３へ向けて膨出形成されており、該右係合凸部１１３の天面には、十字状の右十字溝１１４が凹設されている。
【００４７】
また、前記右延出片１１２には、前記右係合凸部１１３を包囲するようにコ字状の右延出片凸ビード１２１が形成されており、該右延出片凸ビード１２１は、外側２２へ向けて膨出形成されている。そして、この右延出片１１２と前記前面構成部３１の右側縁１１１との間には、右延出片折曲部１２２が外側２２へ向けて膨出形成されており、当該右延出片１１２を内側３３へ曲げ、重合された前記後面構成部３２側へ折曲できるように構成されている。
【００４８】
そして、前記右延出片１１２は、図１に示したように、前記パッケージ本体１１の下縁４３から上縁１０１までの高さ方向において、前記下縁４３から１／３の高さ位置１０２より上方に設定されている。
【００４９】
前記後面構成部３２の図２中下側に位置する上縁部には、鉤状の後面側切欠部２０１が形成されており、該後面側切欠部２０１の先端は、図２中右方へ向けて折曲している。
【００５０】
この後面側切欠部２０１の図２中右方には、前記折曲部２１側へ向けて開口したコ字形状を有する第一後面凸ビード２１１が設けられており、該第一後面凸ビード２１１は、外側２２へ向けて膨出形成されている。また、前記後面側切欠部２０１の図２中左方には、前記折曲部２１側へ向けて開口したコ字状の第二後面凸ビード２１２が設けられており、該第二後面凸ビード２１２も、外側２２へ向けて膨出形成されている。これにより、前記後面側切欠部２０１は、その縁部が前記各凸ビード２１１，２１２によって補強されている。
【００５１】
前記前面構成部３１の前記前面側切欠部５１は、図２中右側が上縁１０１へ向けて開口する一方、前記後面構成部３２の前記後面側切欠部２０１は、図２中左側が上縁２２１へ向けて開口しており、前記前面構成部３１と前記後面構成部３２の内側面１２を対向して重ね合わせた重合状態において、図１に示したように、前記前面側切欠部５１の開口部を前記後面側切欠部２０１で閉鎖するとともに、前記後面側切欠部２０１の開口部を前記前面側切欠部５１で閉鎖するように構成されている。
【００５２】
これにより、前記前面側切欠部５１と前記後面側切欠部２０１とによって、閉鎖されたフック挿入空間２３１が形成されるように構成されており、このフック挿入空間２３１は、前記第一前面凸ビード６１及び第二前面凸ビード６３と前記第一後面凸ビード２１１及び第二後面凸ビード２１２とによって補強されるように構成されている。
【００５３】
前記後面構成部３２には、図２及び図３に示したように、前記後面側切欠部２０１の下側に内側３３へ向けて突出した段差部２３５が形成されており、該段差部２３５は、当該後面構成部３２を前記前面構成部３１に重合した状態で、該前面構成部３１に設けられた前記前面収容部７１に内嵌するように構成されている。この段差部２３５内には、第一製品収容部２３２や第二製品収容部２３３が外側２２へ向けて膨出形成されおり、前記各製品収容部２３２，２３３には、複数の補強ビード２３４，・・・が外側２２へ向けて膨出形成され、各製品収容部２３２，２３３は補強されている。
【００５４】
前記後面構成部３２には、前記前面構成部３１の左側縁８１より延出した前記左延出片８２を当該後面構成部３２側へ折曲した際に当該左延出片８２が対面する部位に、前記段差部２３５を不具備な左欠損部２４１が形成されている。この左欠損部２４１には、前記左延片部８２の前記左係合凸部８３が対向する部位に左係合凹部２４２が設けられており、該左係合凹部２４２は、前記左係合凸部８３を外側面６２から嵌入可能な形状に形成されている。
【００５５】
これにより、前記左延出片８２と、折り曲げられた左延出片８２が対向する部位とには、互いに係合する係合部が前記左係合凸部８３と前記左係合凹部２４２とによって構成されている。そして、前記左係合凹部２４２の底面には、十字状の十字溝２５１が形成されており、嵌入時での当該左係合凹部２４２の弾性変形が促進されるように構成されている。
【００５６】
また、前記後面構成部３２には、前記前面構成部の右側縁１１１より延出した前記右延出片１１２を当該後面構成部３２側へ折曲した際に当該右延出片１１２が対面する部位に、前記段差部２３５を不具備な右欠損部２６１が形成されている。この右欠損部２６１には、前記右延出片１１２の前記右係合凸部１１３が対向する部位に右係合凹部２６２が設けられており、該右係合凹部２６２は、前記右係合凸部１１３を外側面６２から嵌入可能な形状に形成されている。
【００５７】
これにより、前記右延出片１１２と、折り曲げられた右延出片１１２が対向する部位とには、互いに係合する係合部が前記右係合凸部１１３と前記右係合凹部２６２とによって構成されている。そして、前記右係合凹部２６２の底面にも、十字状の十字溝２７１が形成されており、嵌入時での当該右係合凹部２６２の弾性変形が促進されるように構成されている。
【００５８】
そして、前記左係合凹部２４２及び前記右係合凹部２６２は、前記前面構成部３１と前記後面構成部３２とを重合させた状態で、前記前面構成部３１に設けられた前記大円部７２及び前記小円部７３を避ける位置に設けられており、この構成が望ましい。
【００５９】
なぜならば、前記各係合凹部２４２，２６２が、膨出形成された前記各円部７２，７３に対向する位置に設けられた場合と比較して、力を加え易く、係合作業が容易となるからである。
【００６０】
一方、従来例で示したパッケージでは（特開２０１０−２８０３９８号）、上端部を折り返し押し込んで係合させる構造を有する。このため、係合の為の力が後面から加えにくくなるので、前面構成部３１の上部に前記各円部７２，７３のような立体的な創作物は設けにくい。
【００６１】
そこで、本実施の形態の構造では、係合部を設ける高さ位置を自由に選択できるため、前面構成部３１の立体的なデザイン性の自由度が向上する。
【００６２】
以上の構成にかかる本実施において、このパッケージ本体１１に製品Ｓを収容する際には、前面構成部３１と後面構成部３２間に製品Ｓを配置した状態で、両構成部３１，３２各収容部７１，２３２，２３３内に製品Ｓを収容して保持する。
【００６３】
そして、前記前面構成部３１の左側縁８１より左方へ延出した左延出片８２を、前記前面構成部３１の裏面に重合された前記後面構成部３２側に折り曲げるとともに、当該左延出片８２の左係合凸部８３を、折り曲げられた左延出片８２が対向する部位に設けられた左係合凹部２４２に内嵌して互いに係合する。
【００６４】
同様に、前記前面構成部３１の右側縁１１１より右方へ延出した右延出片１１２を、前記前面構成部３１の裏面に重合された前記後面構成部３２側に折り曲げるとともに、当該右延出片１１２の右係合凸部１１３を、折り曲げられた右延出片１１２が対向する部位に設けられた右係合凹部２６２に内嵌して互いに係合する。
【００６５】
すると、前記前面構成部３１と前記後面構成部３２とは、両側縁部が側方から前記各延出片８２，１１２によって結合され、前記製品Ｓは、両構成部３１，３２間に挟持された状態で保持される。
【００６６】
このように、下縁４３，４４が折曲部２１を介して連結された前記前面構成部３１と前記後面構成部３２との二つ折り構造にて前記製品Ｓを保持できる。このため、三つ折り構造の場合と比較して、必要なプラスチックの量が少なくなり、低コスト化を図ることができる。
【００６７】
そして、このような二つ折り構造では、パッケージ１落下時において、製品Ｓの荷重が前記前面構成部３１及び前記後面構成部３２に加わるため口開きし易い。このため、前記前面構成部３１と前記前記後面構成部３２とを上縁部で固定した際には、口開き防止の為に、前記前面構成部３１の両側縁８１，１１１と前記後面構成部３２の両側縁８１，１１１とをテープで止めたり熱圧着する等、口開き防止の為の別作業が必要となる。
【００６８】
しかしながら、本実施の形態では、製品Ｓを保持した状態で前記前面構成部３１と前記後面構成部３２との両側縁部が側方から前記各延出片８２，１１２によって結合される。このため、前記前面構成部３１の各側縁８１，１１１と前記後面構成部３２の各側縁８１，１１１とを、別途テープで止めたり熱圧着する等すること無く、不用意な口開きを防止することができる。
【００６９】
したがって、製造時において口開き防止の為の別工程が不要となり、低コスト化を図ることができる。
【００７０】
また、本実施の形態では、前記各延出片８２，１１２が前記前面構成部３１に設けられており、各延出片８２，１１２は前記後面構成部３２側に折り曲げられ、当該後面構成部３２と係合される。
【００７１】
このため、前記各延出片８２，１１２を係合する為の係合部が前記前面構成部３１側に形成される場合と比較して、当該前面構成部３１の全面を表示部として利用することができる。これにより、デザインの自由度を高めることができる。
【００７２】
さらに、本実施の形態では、前記パッケージ本体１１の下縁４３から上縁１０１までの高さ方向において、前記下縁４３から１／３の高さ位置１０２より上方に前記左延出片８２及び前記右延出片１１２が設けられている。これにより、前記パッケージ本体１１の前記下縁４３から１／３以上の高さ位置において、前記両構成部３１，２３を前記両延出片８２，１１２で連結することができる。
【００７３】
このため、前記下縁４３からの高さが低い位置において、前記前面構成部３１と前記後面構成部３２とを延出片で連結する場合と比較して、口開きの防止効果を高めることができる。
【００７４】
なお、本実施の形態では、前記前面構成部３１に前記各延出片８２，１１２を設けるとともに、前記後面構成部３２に、前記各延出片８２，１１２に設けられた各係合凸８３，１１３と係合する各係合凹部２４２，２６２を設けた場合に付いて説明したが、これに限定されるものではなく、前記後面構成部３２に前記各延出片８２，１１２を設け、前記前面構成部３１に前記各係合凹部２４２，２６２を設けても良い。
【００７５】
また、本実施の形態では、左右側縁部に設けた前記各係合部８３，１１３，２４２，２６２の係合によって前記前面構成部３１と前記後面構成部３２とを結合した場合について説明したが、これに限定されるものではなく、左右のいずれか一方の係合凸部と係合凹部のみを備えていればよい。他方は従来公知の係合方法を用いることができる。
【００７６】
（第二の実施の形態）
【００７７】
すなわち、前記右係合凸部１１３、右係合凹部２６２に加えて、図４に示すように（前記各係合部１１３，２６２を省略した図）、前記前面構成部３１に設けられた前面側切欠部５１の側部に外側に突出した突出部５０１を設けるとともに、前記後面構成部３２の後面側切欠部２０１の側部に当該後面側切欠部２０１側に突出する舌片部５０２を設け、前記前面構成部３１と前記後面構成部３２とを重合した状態で、前記前面構成部３１の前記突出部の表側に前記後面構成部３２の前記舌片部が重なるように配置しても良い。
【００７８】
（第三の実施の形態）
【００７９】
また、前記右係合凸部１１３、右係合凹部２６２に加えて、図５に示すように（前記各係合部１１３，２６２を省略した図）、前記前面構成部３１に設けられた前面側切欠部５１の側部に角部係合凸部６０１を設けるとともに、前記後面構成部３２の後面側切欠部２０１の側部に前記角部係合凸部６０１と係合する角部係合凹部６０２を設け、前記前面構成部３１と前記後面構成部３２とを重合した状態で、前記角部係合凸部６０１が前記角部係合凹部６０２に内嵌して係合するように構成しても良い。
【符号の説明】
【００８０】
１    パッケージ
１１    パッケージ本体
３１    前面構成部
３２    後面構成部
４３    下縁
８１    左側縁
８２    左延出片
８３    左係合凸部
１０１    上縁
１１１    右側縁
１１３    左係合凸部
２４２    左係合凹部
２６２    右係合凹部
Ｓ    製品
【図１】
2014105033.tif 000003
【図２】
2014105033.tif 000004
【図３】
2014105033.tif 000005
【図４】
2014105033.tif 000006
【図５】
2014105033.tif 000007